(57)【特許請求の範囲】
【請求項１】
伸長させた状態、弛緩した状態、及び応答路を持ち、前記応答路に沿って前記伸長させた状態から前記弛緩した状態まで収縮する支持体と、
各々が非固定領域及び固定領域を持つ複数のフィラメントを有する不織ウェブであって、複数の前記固定領域は、前記フィラメント同士を接合する繊維間結合部を構成し、複数の前記繊維間結合部は、多数の不織ウェブ結合パターン要素を有する規則的な不織ウェブ結合パターンをなして配置されており、前記支持体と接触した不織ウェブと、を備えた、
相補的フックファスニング構成要素と係合可能な再取付け可能なファスニング装置の雌構成要素において、
前記不織ウェブを前記支持体に接合するための少なくとも一つの構造的結合部が、規則的な構造的結合パターンをなして配置されており、前記規則的な構造的結合パターンが、前記規則的な不織ウェブ結合パターンと一致せずに前記不織ウェブ結合パターン要素の各々と少なくとも二箇所で交差し、前記フィラメントの前記非固定領域は、前記支持体がその弛緩した状態に戻されるときにシャーリングを形成し、再取付け可能なファスニング装置の雄構成要素と絡み合うことができる捕捉領域を形成することを特徴とする、雌構成要素。
【請求項２】
前記支持体は、ポリエチレンフィルム、ポリプロピレンフィルム、エチルビニルアセテートフィルム、スチレン−イソプレン−スチレンブロックコポリマーフィルム、又はスチレン−ブタジエン−スチレンブロックコポリマーフィルムからなる群から選択されたエラストマーフィルムを有し、
前記構造的結合部は、感圧接着剤結合部、ホットメルト接着剤結合部、超音波結合部、熱結合部、圧力結合部、摩擦結合部、自己加熱結合部からなる群から選択される、請求項１に記載の雌ファスニング構成要素。
【請求項３】
（ａ）実質的に平行な、好ましくは前記支持体の前記応答路と実質的に平行な、多数の構造的結合部、（ｂ）菱形形状の少なくとも一つの構造的結合部、又は（ｃ）少なくとも一つの本質的に円形の構造的結合部を有する、請求項１又は２に記載の雌ファスニング構成要素。
【請求項４】
前記不織ウェブ結合パターンは、菱形形状の不織ウェブ結合パターン要素の規則的なパターンを有する、請求項１乃至３のうちのいずれか一項に記載の雌ファスニング構成要素。
【請求項５】
液体透過性のトップシート、このトップシートに接合された液体不透過性のバックシート、前記トップシートと前記バックシートとの間に位置決めされた吸収コア、及び着用者に吸収物品を取り付けるためのファスニングシステムを有する使い捨て吸収物品において、前記ファスニングシステムは、請求項１乃至４のうちのいずれか一項に記載の雌ファスニング構成要素を有する、使い捨て吸収物品。
【発明の詳細な説明】
【０００１】
【発明の属する技術分野】
本発明は、再取付け可能なフック−ループ型ファスニング装置用の雌構成要素に関し、更に詳細には、フック−ループ型ファスニング装置用の安価な雌構成要素に関する。
【０００２】
【従来の技術】
フック−ループ型の再取付け可能なファスニング装置は、現在、様々な場所で広範に使用されている。このような再取付け可能なファスニング装置は、衣服、使い捨て吸収物品等で特に有用である。このような装置は、二つ又はそれ以上の物品の間、又は同じ物品の幾つかの表面間に再取付け可能な結合部を形成するのが望ましい場合に使用される。ある種の利用分野では、これらの再取付け可能なファスニング装置は、従来のバックル、ジッパー、ボタン、スナップ、タイファスナ、及び縫製に取って代わった。
【０００３】
再取付け可能な結合部の形成に機械的な絡み合いを用いた、現在広範に使用されている一般的な種類の機械式ファスナは、「ベルクロ（ＶＥＬＣＲＯ）」の商標で販売されている。ベルクロファスニング装置は、米国特許第２，７１７，４３７号、米国特許第３，００９，２３５号、米国特許第３，２６６，１１３号、米国特許第３，５５０，８３５号、米国特許第４，１６９，３０３号、及び米国特許第４，９８４，３３９号に詳細に記載されている。
【０００４】
ベルクロファスナは、雄構成要素及び雌構成要素の二つの構成要素を使用する。雄構成要素及び雌構成要素は、多くの場合、夫々、フック構成要素及びループ構成要素と呼ばれる。雄構成要素は、複数の弾性の直立したフック形状要素を含む。ファスニング装置の雌構成要素は、一般的には、その表面上に複数の起立したループを持つ織物からなる。雄構成要素及びループ構成要素を、面と面とを向き合わせた関係で、互いに押し付けてファスニング装置を閉じると、フックがループと絡み合って個々のフックとループとの間に複数の機械的結合部を形成する。これらの結合部が形成されたとき、構成要素は、一般的には、通常の状態では外れない。これは、全てのフックを一度に外そうとすることによって構成要素を分離することが非常に困難であるためである。しかしながら、構成要素に引き剥がし力を徐々に加えると、容易に外すことができる。フックは、引き剥がし力が加わった状態では、弾性材料でできているため、容易に開いてループを離す。
【０００５】
【発明が解決しようとする課題】
この種のファスニング装置は、使い捨て衣料、使い捨ておむつ、使い捨てパッケージ、カートン、等の使い捨て物品で特に有用であるということがわかっている。このようなファスニング装置は、固定閉鎖手段を提供する。しかしながら、使い捨て物品に設けたこの手段の現存のファスニング装置は、比較的高価であるため、使用が限定されていた。このようなファスニング装置が高価であるのは、製造に費用がかかるためである。こうした高い製造費用は、これらの装置のフック構成要素及びループ構成要素の両方と関連している。
【０００６】
従来のフック構成要素及びループ構成要素は、代表的には、支持体から外方に延びる多数の織製ループを持つ織物をつくることによって形成される。ループは、補足的な糸を含むベース織物を織製してループを形成することによって、又はループを織物に編込むことによって形成される。他のフック構成要素及びループ構成要素では、ループは、プリーツ付けプロセス又は波形付けプロセスによって形成できる。このようなファスニング装置の雄構成要素は、代表的には、形成したループを切断することによって形成される。切断したループは、雄構成要素のフックとして役立つ。
【０００７】
これらのプロセスが比較的低速であるため、これらのプロセスで製造したフック及びループは、一般的には、高価なものとなる。更に、このようなファスニング装置のフック構成要素及びループ構成要素は、通常は、比較的高価な同じ材料から作られている。この材料は、装置の開放時にフックがループ構成要素から外れることができるように、雄構成要素で使用される材料が弾性である必要があるため、比較的高価である。
【０００８】
ファスニング装置用の別の種類の雌構成要素を製造するため、幾つかの試みがなされた。しかしながら、こうした試みには、一般的には、多くの欠点があった。
【０００９】
１９７２年１０月３日にスタンプに付与された米国特許第３，６９４，８６７号には、「高ロフト」不織布及びこれに付着させた可撓性接着剤製の支持層からなる雌構成要素を持つ「分離可能な留め金」が開示されている。しかしながら、スタンプの特許に開示されたループ構成要素は、（１）繊維を埋め込んだ開放パターン接着剤を付勢する工程、（２）接着剤を実質的に連続した支持層に付着させる工程、及び（３）繊維が、支持層から外方に延びる個々のループを形成するように、繊維の部分に同時にループを形成する工程を行うことによって形成される。この特許に開示された雌構成要素には、繊維に機械的操作を加えてループの形体にする工程を含むプロセスによって製造されるという欠点がある。かくして、この特許に記載された雌構成要素は、従来のループ構成要素と比べて、製造費用が大きくは下がらない。
【００１０】
１９７３年１月９日にリビチ等に付与された米国特許第３，７０８，８３３号には、支持層に固定された網状ウレタンフォームからなる雌構成要素を持つ再取付け可能なファスニング装置が開示されている。リビチ等の特許に開示された雌構成要素には、フォームに形成された開口部の数が、代表的には、従来の雄構成要素のフックが進入する上で十分でないという欠点があった。更に、網状フォームの強度は、一般的には、ファスニング装置に力が加えられた場合に、このようなフックを保持するのに十分でない。更に、網状フォームの製造は、比較的費用のかかるプロセスである。
【００１１】
１９８８年８月２日にオットー等に付与された米国特許第４，７６１，３１８号には、形成及び基材への取り付けの両方を同時に行うことができ、基材に取り付けるために縫製を行ったり感圧接着剤を使用するといった追加の工程を必要としない、ループファスナが開示されている。しかしながら、オットー等のループファスナは、熱可塑性樹脂層に付着させた多数のループを持つ繊維質構造を有する。かくして、この特許に開示されたプロセスには、繊維質構造を支持層に結合するために加熱を行わなければならないという欠点があった。
【００１２】
１９９１年７月１６日にノエル等に付与された米国特許第５，０３２，１２２号には、伸長可能な材料でできた支持層及びこの支持層から延びる多数の繊維質要素を有するループファスニング材料が開示されている。繊維は、支持層の寸法が不安定な状態にあるときに支持層に固定される。次いで、支持層の形体を変化させてその寸法を安定した状態にし、これによって、繊維質要素にシャーリングを形成し、ループ材料の捕捉領域を形成する。ノエルの特許には、十分に低価格のループファスニング材料が開示されているけれども、更に経済的なループファスニング材料及びその製造方法に対する探究は、今尚続けられている。
【００１３】
１９４４年６月７日にシーバース等に付与された米国特許第５，３１８，５５５号には、ファスニングシステムを持つ吸収物品が開示されている。このファスニングシステムは、物品の一方の部分に取り付けられた複数のフック部材及びループパネルに取り付けられた複数のループ部材を含む。ループパネルは、物品に断続的に取り付けられている。しかしながら、シーバース等の特許は、吸収物品にループパネルを取り付けるための手段に注目しており、改良ループ材料自体には注目していない。
【００１４】
【課題を解決するための手段】
かくして、本発明の目的は、使い捨て物品用の改良ファスニング装置を提供することである。
【００１５】
本発明の別の目的は、再取付け可能なフック−ループ型ファスニング装置の改良雌構成要素を提供することである。
【００１６】
本発明の更に別の目的は、低価格のループファスニング材料を形成するため、繊維に操作を加えてループの形体にすることなく、エラストマー支持体に複数のフィラメントを接合することによって形成できる、フック−ループ型ファスニング装置用の雌構成要素を提供することである。
【００１７】
本発明の他の目的は、個々の弾性フックを持つ商業的に入手できる雄構成要素並びに現在使用されているよりも脆性が大きいフックを持つ低価格の雄構成要素の両方で使用できるファスニング装置用雌構成要素を提供することである。
【００１８】
本発明のこれらの目的及び他の目的は、添付図面と関連して以下の説明を参照し、考慮すれば、更に容易に明らかになるであろう。
【００１９】
本発明は、不織ウェブに接合されたエラストマー支持体を持つループファスニング材料を提供する。支持体は、伸長させた状態、弛緩した状態、及び応答路を有し、この応答路に沿ってその伸長させた状態から弛緩した状態に収縮する。不織ウェブは、不織ウェブ結合パターン要素を有する規則的な不織ウェブ結合パターンを形成する繊維間結合部によって固定領域で互いに固定されたフィラメントを備えている。不織ウェブは、固定領域間に非固定領域を有する。不織ウェブは、支持体がその伸長させた状態で支持体に接合されている。規則的な構造的結合パターンを形成する構造的結合部が不織ウェブを支持体に接合する。本発明の好ましい実施形態では、構造的結合パターンは、前記規則的な不織ウェブ結合パターンと一致せずに各不織ウェブ結合パターン要素と少なくとも二箇所で交差する。かくして、支持体がその伸長させた状態から弛緩した状態に収縮するとき、不織ウェブの非固定領域がシャーリングを形成し、支持体から外方に延び、相補的雌ファスニング構成要素の係合要素と絡み合うことができる捕捉領域を形成する。
【００２０】
本発明は、更に、フックファスニング材料及びループファスニング材料を有するファスニング装置に関する。ループファスニング材料は、本発明の改良ループファスニング材料からなる。フックファスニング材料は、当該技術分野で周知の任意のフックファスニング材料からなり、この材料は、ベース及びこのベースから延びる多数の係合要素を有する。ループファスニング材料及び相補的フックファスニング材料は、使用中に遭遇する剪断応力及び引き剥がし力に抵抗するしっかりとした閉鎖手段を提供する。
【００２１】
更に、本発明は、このような改良ファスニング装置を持つ使い捨て物品、更に詳細には使い捨ておむつに関する。
【００２２】
【発明の実施の形態】
再取付け可能なファスニング装置
本発明の再取付け可能なファスニング装置、即ちファスニング装置２０を第４図に示す。ファスニング装置２０は、不織ウェブ製雌構成要素２２及びこれと相補的なフックファスニング構成要素２４からなる。
【００２３】
装置の雌部分、詳細には、不織ウェブ製雌構成要素（即ち簡単に「雌構成要素」）２２は、雄構成要素のフック２８を受け入れてこれと係合する。第３図及び第４図に示す雌構成要素２２は、固定された少なくとも一つの不織ウェブ３０からなる。不織ウェブ３０は、雄構成要素２４のフック２８と絡まる複数のフィラメント（少なくとも一つの繊維）を有する。支持体３４は、第１面３１及びこの第１面３１の裏側の第２面３３を有し（図１参照）、好ましくは、エラストマー材料からなる。
【００２４】
装置の雄部分、更に特定的にはフックファスニング構成要素（又は、単に「フック構成要素」）２４は、第１面２７及び第２面２９を持つベース２６を有する。ベース２６は、第１面２７から延びる複数の起立した係合要素即ち「フック」２８を有する。「フック」という用語は、本発明の相補的ループファスニング構成要素即ち雌構成要素２２と係合するようになっている限り、係合要素が当該技術分野で周知の任意の形状でよいという意味で非限定的である。フック２８は、一般的には、雄構成要素２４の第１面２７から延びるシャンク即ちステム４０の頂部に配置されたヘッド３８（即ち係合手段）を有する。
【００２５】
本発明のファスニング装置２０は、以下の方法で機能する。ファスニング装置２０は、雄構成要素２２及び雌構成要素２４を互いに面と面とを向き合わせて押し付けると、閉鎖される。このとき、フック２８は、不織ウェブ３０の繊維３６と絡み合っている。不織ウェブ３０は、ファスニング装置２０が閉鎖しているとき、フック、特定的にはフックのヘッド３８が占有する空間を提供する。支持体３４は、不織ウェブ３０用の支持基礎を構成する。フック２８が繊維３６と機械的に絡み合う、即ち「フック止め」される（第４図の右側のファスニング装置２０の部分参照）ことによって、構成要素間の連結はファスニング装置２０に及ぼされる力に耐える。
【００２６】
ファスニング装置２０の開放は、雄構成要素２４を雌構成要素２２から引き剥がすことによって（又は雌構成要素２２を雄構成要素２４から引き剥がすことによって）行われる。雄構成要素２４が弾性フックを持っている場合には、引き剥がし作用によりフックが曲がり、不織ウェブ３０の繊維３６と絡み合った状態から外れる。他の場合（特に、フック２８の可撓性が比較的小さい場合）には、フック２８は、雌構成要素２２の繊維３６を壊すことによって分離できる。いずれの場合でも、フック２８が外れ、雄構成要素２４が雌構成要素２２から完全に外れる。次いで、ファスニング装置２０の再取付けを上文中に説明した方法で行うことができる。
【００２７】
雌ファスニング構成要素
「不織ウェブ製雌構成要素」という用語は、本明細書中で使用されているように、支持体に接合された不織ウェブからなる、再取付け可能なファスニング装置の雌構成要素に関する。（不織ウェブ製雌構成要素は、ループファスニング材料、又は単にループフファスナとも呼ばれる。）「不織ウェブ」という用語は、織製、編製、フェルティング、等で製造されたのでない、互いに係止する（interlocking）ことによって、又は繊維間結合によって互いに保持された繊維でできた布に関する。しかしながら、本明細書中で言及する不織ウェブは、最初は実質的に結合されておらず、次いで互いに結合された繊維からなることができる。
【００２８】
第１図は、雌構成要素２２の形成に使用される支持体３４及び不織ウェブ３０を、これらを関連させる前の状態で示す。好ましくはエラストマー材料である支持体３４は、伸長させた（Ａ−Ａで示す線と平行な方向に延伸させた）状態で示す。本明細書中で使用されているように、「エラストマー」という用語は、力を加えたときに少なくとも一つの方向に延び、力を取り除くとその元の寸法に戻る材料に関する。不織ウェブ３０は、第１０図に大きく拡大して詳細に示すように、好ましくは、非固定領域３５及び固定領域４２を持つ多数のフィラメント３６からなる。固定領域４２は、繊維間結合部３２を構成する。本明細書中で使用されているように「繊維間結合部」という用語は、一つ又はそれ以上のフィラメントを一つ又はそれ以上の他のフィラメントに接合する結合部に関する。「接合」という用語は、一つの要素が別の要素に直接的に固定された形体及び一つの要素が中間部材に取り付けられ、この中間部材が別の要素に取り付けられることによって、一つの要素が別の構成要素に間接的に固定された形体を含む。
【００２９】
第２図は、雌構成要素２２の好ましい実施形態を示し、この実施形態では、支持体３４は、不織ウェブ３０をその上に位置決めし且つ支持体３４の第１面３１上に接合した後の伸長させた状態にある。好ましくは、不織ウェブ３０のフィラメント３６は、互いに本質的に平行に且つ支持体３４の応答路と本質的に平行に整合している。（「本質的に平行に」というのは、本明細書中では、フィラメント３６の大部分が応答路と平行に延びており、応答路と平行な状態から少ししか外れていない限り、フィラメント３６が、必ずしも、応答路と完全に平行でなくてもよいということを示す。本明細書中で使用されているように、「応答路」というのは、エラストマー材料を伸長させるように作用する力を取り除いたとき、伸長させた状態にあるエラストマー材料の応答方向に関する。）更に、不織ウェブ３０のフィラメント３６は、好ましくは、伸長させた支持体３４に接合されたとき、張力が加わっていない状態にある。これにより、支持体３４が収縮してその弛緩状態に戻るとき、フィラメント３６の非固定領域３５に「シャーリング」が形成される（第３図参照）。「シャーリング」という用語は、本明細書中で使用されているように、支持体３４が収縮してその伸長させた状態からその弛緩した状態になり、支持体３４又は他のフィラメント３６に固定されていないフィラメント３６の部分が曲がって支持体３４の第１面３１から遠ざかることによる、不織ウェブ３０のフィラメント３６のギャザー寄せに関する。フィラメント３６からなるシャーリングを形成した非固定領域３５は、相補的雄ファスニング構成要素２４のフック２８と絡み合うことができる捕捉領域３７（ループ）を形成する。
【００３０】
以下に更に詳細に説明するように、不織ウェブ３０は、構造的結合部３９で支持体３４に接合されている。構造的結合部３９は、ファスニング装置の雌構成要素としての不織ウェブ３０の有効性を改善する特定の構造的結合パターン４０を形成する。（「構造的結合部」という用語は、本明細書中で使用されているように、不織ウェブ３０の部分を支持体３４に接合する結合部に関する。）
１．不織ウェブ
本発明の捕捉領域３７は、好ましくは、支持体３４上に位置決めされ且つこれに固定された不織ウェブのフィラメント３６から形成されている。本明細書中で使用されているように、「フィラメント」という用語は、直径又は幅に対する長さの比が大きい部材を定義する。かくして、フィラメントは、繊維、糸、ストランド、ヤーン、又は任意の他の部材又はこれらの部材の組み合わせであるのがよく、当該技術分野で周知のように、予め互いに取り付けられて不織ウェブを構成するフィラメントを含む。このようなフィラメント３６についての適当な材料には、綿又は羊毛のような天然繊維、ナイロン、ポリアミド、ポリエステル、又はポリオレフィンでできた合成繊維、スパンヤーン、ポリエチレン繊維、ポリプロピレン繊維、ナイロン繊維、不織ウェブ、又は任意の他の材料又は当該技術分野で周知であり且つここで使用する上で適当な材料の組み合わせが含まれる。
【００３１】
フィラメント３６は、フィラメントを紡糸し、ブローイングを施すといった技術を含む多くの製造技術を使用して製造できる。好ましくは、各フィラメント３６は、約２デニールから約１５デニールのポリプロピレン繊維からなる。個々のフィラメント３６は、好ましくは、不織ウェブ３０に含まれる。支持体３４と組み合わせる前の不織ウェブの坪量は、約１２g/m2から約４８g/m2（１平方ヤード当たり約１０ｇから約４０ｇ）であり、更に好ましくは、約１８g/m2から約３０g/m2（１平方ヤード当たり約１５ｇから約２５ｇ）である。不織ウェブ３０は、これと同様の又は異なるデニール数及び長さのフィラメント３６からなるのがよい。更に、不織ウェブ３０は、種々の材料でできたフィラメント３６の混合物からなってもよい。適当なフィラメントからなる不織ウェブには、マサチューセッツ州ウォルポールのインターナショナル・ペーパー社のヴェラテック不織ウェブグループがＰ−１１の商標で製造しているカーディング処理を施したポリプロピレン製不織ウェブ、スパンボンディング処理を施したポリプロピレン製不織ウェブＰ−９、及びカーディング処理を施したポリプロピレン製不織ウェブＰ−８が含まれる。適当なフィラメントからなるる他の適当な不織ウェブには、ドイツ国のコロビン有限責任会社が製造している、スパンボンディング処理を施したポリプロピレンであるコロヴォン（COROVON）、及びジェームズ・リバー社が製造しているセレストラ（CELESTRA）が含まれる。
【００３２】
不織ウェブ３０内のフィラメント３６の長さは、不織ウェブ３０の製造に使用されたプロセスの種類で決まる。例えば、カーディング処理を施した不織ウェブを使用する場合には、このような不織ウェブを構成するフィラメント３６の長さは、約０．５cmから約１３cm（約０．２５インチから約５インチ）の範囲内にある。カーディング処理を施した好ましい不織ウェブでは、フィラメントの長さは、約２．５cmから約８cm（約１インチから約３インチ）である。変形例では、スパンボンディング処理を施した不織ウェブを使用する場合には、このような不織ウェブのフィラメント３６は、代表的には、連続した長さである。（本明細書中で使用されているように「連続した」という用語は、不織ウェブの全長に亘って延びる比較的長いフィラメントに関する。）
好ましいフィラメント３６は、少なくとも一つの完全な捕捉領域３７を形成する所定の長さを有する。かくして、例えば、フィラメント３６は、その両端と隣接して位置決めされた一対の固定領域４２がありさえすればよく、そのため、捕捉領域３７がフィラメント３６全体で形成される。更に好ましくは、フィラメント３６は、その長さに沿って位置決めされた多数の固定領域４２を有し、各フィラメント３６に沿って複数の捕捉領域３７を形成する。フィラメント３６が短い場合、又はステープルである場合には、二つの固定領域４２を持つ完全な捕捉領域３７が形成されない。結果的に形成された不完全な捕捉領域３７は、相補的フックファスニング材料２４のフック２８と固定的に係合できない。かくして、固定的閉鎖を行う不織ウェブ製雌構成要素２２の性能が低下する。
【００３３】
不織ウェブ３０のフィラメント３６間の繊維間結合部の量もまた、本発明の雌構成要素２２が相補的フックファスニング構成要素２４と絡み合う性能に関する重要な要因である。不織ウェブ３０のフィラメント３６間に形成された結合箇所の数が多過ぎると、フック２８が不織ウェブ３０に進入する上で邪魔になり、かくしてファスニング装置の剪断強度を低下させる。（一般的には、ファスニング装置の強度は、不織ウェブに進入してこれと結合できるフックの数が多くなるに連れて大きくなる。）更に、繊維間結合部３２が少な過ぎると、端部がルーズな（結合されていない）フィラメント３６の数が増え、かくして、雌構成要素２２が相補的フックファスニング構成要素２４のフック２８と絡み合う性能を低下させる。
【００３４】
本発明の好ましい実施形態では、平面図で見た繊維間結合部３２の総面積は、不織ウェブ３０の総面積の約１％から約３５％である。更に特定的には、平面図で見た繊維間結合部の総面積は、不織ウェブの総面積の約５％から約２５％である。繊維間結合部のパーセンテージは、好ましくは、不織ウェブの例示の試料を顕微鏡で検査することによって計測される。試料は、不織ウェブ３０の表面の真上から視認される。各繊維間結合部３２の平面図で見た面積を計測する。結合部の面積の和を試料の面積で除する。その結果は、繊維間結合部が占有する面積のパーセンテージである。
【００３５】
不織ウェブ内の繊維間結合部のパターンは、雌構成要素の強さ及び全体としての有効性に関する重要な要因である。繊維間結合部３２は、連続的な結合線又は断続的な結合領域からなる。好ましくは、繊維間結合部３２は互いに十分接近しており、そのため、不織ウェブ３０のフィラメント３６の結合されていないルーズな端部が比較的少数である。かくして、繊維間結合部３２間の距離は、好ましくは、不織ウェブ３０のフィラメント３６の平均長さよりも小さく、好ましくは、不織ウェブ３０のフィラメント３６の平均長さの約半分である。
【００３６】
本発明の好ましい実施形態では、繊維間結合部３２は、規則的なパターンをなして配置されている。以下、このパターンを「不織ウェブ結合パターン」４１と呼ぶ。（本明細書中で使用されているように、「規則的な」という用語は、不織ウェブ３０の表面を真上から見たときに不織ウェブ３０の面積全体に亘ってほぼ同じである結合パターンに関する。）適当な不織ウェブ結合パターンには、「不織ウェブ結合パターン要素」４４を構成する一連の直線状の又は湾曲した結合線又は断続的な結合部が含まれる。「不織ウェブ結合パターン要素」という用語は、本明細書中で使用されているように、不織ウェブ結合パターンに含まれる一つ又はそれ以上の繊維間結合部３２が構成する、正方形、矩形、六角形、菱形、円形、楕円形、長円形等の領域又は幾何学的形状に関する。規則的な不織ウェブ結合パターン４１は、以下に説明するように、構造的結合パターン４０を補足し、雌構成要素２２に比較的均等な保持特性を提供する。更に、不織ウェブ結合パターンは、連続的であっても断続的であってもよい。（本明細書中で使用されているように、「連続的」という用語は、実質的に切れていない即ち中断していない結合パターンに関する。「断続的」という用語は、互いに接合されていない即ち連続していない一連の個個のばらばらの結合部からなる結合パターンに関する。）
本発明の雌構成要素２２で特に優れているということがわかっている一つの不織ウェブ結合パターン４１は、第１図及び第２図に示す断続的な菱形形状パターンである。菱形形状パターンの「菱形」は、全体に矩形形状の領域を構成する線をなして規則的に配置された多数の断続的繊維間結合部３２からなる。（フィラメント３６がシャーリングを形成する前の不織ウェブ結合パターン４１の好ましい配置を第２図の左側に示す。フィラメント３６がシャーリングを形成した後の不織ウェブ結合パターン４１の好ましい配置を第３図の左側に示す。）パターンを約４５°回転させて菱形の外観を形成する。好ましくは、不織ウェブ結合パターン４１の寸法は、菱形形状領域の側部間の領域の少なくとも幾つかの部分における繊維間結合部３２間の距離が、相補的雄構成要素２４のフック２８の投影平面寸法よりも大きくなければならない。（相補的雄構成要素の、平面図で見た寸法を、下文において詳細に論じる。）本発明の雌ファスニング構成要素２２で使用するのに適した菱形形状結合パターンの非限定的例には、側部の寸法が約１．３cm×１．３cm（約１／２インチ×１／２インチ）から約０．３cm×０．３cm（約１／８インチ×１／８インチ）、更に好ましくは、約０．６cm×０．６cm（約１／４インチから１／４インチ）から約１cm×１cm（約３／８インチ×３／８インチ）、最も好ましくは、０．６cm×０．６cm（約１／４インチ×１／４インチ）のパターンが含まれる。菱形形状パターンをなして配置された繊維間結合部３２を有する適当な不織ウェブ３０は、マサチューセッツ州ウォルポールのインターナショナル・ペーパー社のヴェラテック不織ウェブグループからＰ−１１の商標で入手できる菱形形状パターンをなして配置されている。
【００３７】
不織ウェブ結合パターン４１を形成する繊維間結合部３２は、当該技術分野で周知の任意の方法で製造できる。好ましい実施形態では、繊維間結合部３２は、不織ウェブ３０のフィラメント３６の融点近くまで加熱した一対のローラーに不織ウェブ３０を通すことによって製造される。一方のローラーは、好ましくは、平滑な表面を有し、相補的ローラーは、その表面から上述の菱形形状パターンをなして延びるピンでできた所定のパターンを有する。不織ウェブ３０がローラー間を通過するとき、ローラーの熱及び圧力により、フィラメント３６のばらばらの領域が溶融し、繊維間結合部３２を好ましい菱形形状パターンで製造できる。
【００３８】
不織ウェブ３０は、好ましくは、支持体３４が伸長させた状態にあり、フィラメント３６に張力が加わっていないとき、支持体３４上に位置決めされ且つこれに接合される。フィラメント３６は、張力が加えられた安定していない状態で支持体３４上に位置決めできると考えられるが、これは、フィラメント３６で最大のシャーリングを形成する上では好ましくない。更に、支持体３４は、フィラメント３６を支持体３４上に位置決めするときに弛緩した状態にすることができるが、これは望ましくない。というのは、フィラメント３６の位置がずれたり、外れたり、捩じれたりするように支持体３４を伸長させてしまうためであり、又は捕捉領域３７がフックファスニング構成要素と係合する上で効果的でないように支持体３４に結合されてしまうためである。
【００３９】
ループファスニング構成要素２２の大きさ及び有効なファスニング装置を提供する性能は、フィラメント３６を支持体３４上に位置決めする、即ち支持体の上に置く形体で決まる。フィラメント３６は、フィラメントが多くの異なる方向で重なり、即ちこれらの方向に延びるように、支持体３４上にランダムに位置決めされているのがよいが、フィラメント３６は、均等な方向に形成された捕捉領域３７を提供するため、好ましくは、できるだけ互いに平行にされるべきであるということがわかっている。更に、フィラメント３６は、最大高さの捕捉領域３７を形成するため、シャーリングを最大にするという支持体３４の効果の利点を得るため、支持体３４の上で任意の方向に長手方向に位置決めされているのがよいが、フィラメント３６は、好ましくは、支持体３４上に、支持体３４の応答路と本質的に平行な所定方向に位置決めされている。（しかしながら、応答路に対して本質的に垂直に位置決めされたフィラメント３６もまた適当な絡み合い性能を提供するということがわかっている。）フィラメント３６は、当該技術分野で周知の任意の方法又は手段で支持体３４上に位置決めでき、且つ置くことができる。
【００４０】
２．支持体
本発明の支持体３４は、不織ウェブ３０が固定される雌ファスニング構成要素２２の部分である。支持体３４は、好ましくは、エラストマー材料でできている。本明細書中で使用されているように、「エラストマー」という用語は、力を加えると少なくとも一つの方向に延び、力を除くとほぼその元の寸法に戻る材料にする。かくして、エラストマー材料は、伸長させた状態（力が加えられている場合）、弛緩した状態（力が除かれている場合）、及び応答路を有し、支持体３４は、応答路に沿って、その伸長させた状態からその弛緩した状態に収縮する。本発明の好ましい実施形態では、支持体３４を不織ウェブ３０と関連させる前に機械方向に伸長させる。（本明細書中で使用されているように、「機械方向」という用語は、任意の加工工程で材料を前方に移動したときの材料の移動方向に関する。「機械方向に対して横方向」という用語は、機械方向に対して垂直な方向に関する。）
本発明の支持体３４は、多くの異なる形体をとることができる。例えば、支持体３４は、厚さが均等な又は均等でない、スリット、孔、又は変形部分等を持つ薄いフィルム、二つ又はそれ以上のフィルムからなる積層体、フィルム又は積層体からなる一つ又は多数のストランド、又はこれらの任意の組み合わせからなるのがよい。一つの好ましい実施形態では、支持体３４は、厚さが約０．０１３mmから約１．０mm（約０．０００５インチから約０．０４インチ）の薄いフィルムからなる。特に好ましい実施形態では、エラストマーフィルムの厚さは、約０．０１３mmから約０．３８mm（約０．０００５インチから約０．０１５インチ）である。
【００４１】
支持体３４は、当該技術分野で周知の多くの異なるエラストマー材料のうちの任意の材料からなるのがよい。支持体３４の弾性率は、好ましくは、約０．０７０３kg/cm2から約２．１０９kg/cm2（１psi.から約３０psi.）であり、更に好ましくは、約０．３５１５kg/cm2から約１．０５４５kg/cm2（５psi.から約１５psi.）である。（弾性率は、好ましくは、弾性率を決定するため、任意の便利なゲージ長の約５％から約５０％の延び間隔について、試料を延ばす前の試料の元の断面積を使用して計算される。）更に、支持体３４は、少なくとも一方向に約１０％から約５００％、破れることなく伸長できなくてはならない。更に好ましくは、支持体３４は、破れることなく、伸長時に括れたり薄くなったりせず、伸長時に過度のヒステリシスを示したり層が剥がれたりせずに、約１０％から５００％伸長できなければならない。適当な支持体の例には、ブタジエン／アクリロニトリルコポリマー、スチレン−ブタジエン−スチレンブロックコポリマー、ポリウレタンエラストマー、天然ゴム、エチレンプロピレン−ジモノマー、ポリプロピレンフィルム、並びにオハイオ州シンシナチのクロペー社及びインディアナ州テルホイテのトレッデガーフィルム製作所から入手できるポリエチレンフィルム（例えばクロペー１４０１）、及びイリノイ州レイクチューリッヒのエクソン化学社から入手できるスチレン−イソプレン−スチレンブロックコポリマーフィルムＥＸＸ５００が含まれるが、これらの材料に限定されない。
【００４２】
３．構造的結合部及び結合パターン
本発明は、少なくとも一つの構造的結合部３９を有する構造的結合パターン４０を備えている。構造的結合部３９は、不織ウェブ３０を支持体３４に接合する雌ファスニング構成要素２２の部分である。特定の構造的結合パターン４０は、雌ファスニング構成要素２２としての特定の不織ウェブ３０と支持体３４との組み合わせの有効性を予想外に高めるということがわかった。特定的には、不織ウェブ結合パターン要素４４の各々の少なくとも二つの箇所と上文中に説明したように交差する構造的結合パターン４０は、相補的雄ファスニング構成要素２４の係合要素を更に強力に捕捉し且つこれを固定する性能を持つ雌ファスニング構成要素を結果的に提供するということがわかった。
【００４３】
構造的結合部３９は、当該技術分野で周知のように、任意の数の異なる種類の結合部からなるのがよい。例えば、構造的結合部３９は、押出し、スロットコーティング、スクリーン印刷、又はグラビア印刷で付けた、感圧接着剤、ホットメルト接着剤を含む接着剤、超音波結合部、熱結合部、圧力結合部、摩擦結合部、自己加熱結合部、又はこれらの結合部の任意の組み合わせ、又は当該技術分野で周知の任意の他の結合方法からなるのがよい。好ましい構造的結合部３９を構成する幾つかの例には、ウィスコンシン州ワウワトサのフィンドレー接着剤社がＨ２０３１、Ｈ２０８５、及びＨ２３０５の商標で製造しているホットメルト接着剤が含まれる。
【００４４】
構造的結合パターン４０は、上文中に説明したように、少なくとも一つの規則的な構造的結合部３９を含む。しかしながら、構造的結合パターンは、任意の数の構造的結合部３９からなるのがよい。更に、構造的結合パターン４０は、一連の直線又は曲線からなるのがよく、又は少なくとも一つの「構造的結合パターン要素」４５（第５図乃至第７図参照）を形成する断続的な又は連続的な結合部からなるのがよい。「構造的結合パターン要素」という用語は、本明細書中で使用されているように、構造的結合パターン４０を構成する構造的結合部３９のうちの一つ又はそれ以上によって形成される個々の領域即ち幾何学的形状に関する。適当な構造的結合パターン要素４５は、菱形、楕円形、円形、長円形、線、螺旋、点、又は任意の他の正多角形又は多角形、形状又はパターンを含む任意の数の異なる形体をとることができる。しかしながら、本発明の利点は、構造的結合パターン４０が不織ウェブ結合パターン要素４４の各々と少なくとも二箇所で交差する場合に最もよく得ることができる。本明細書中で使用されているように、「交差」という用語は、一つの構造的結合部３９の少なくとも一部が不織ウェブ結合パターン要素４４の少なくとも一部と、構造的結合部３９及び不織ウェブ結合要素４４が接合するように、接触し、又は重なるばらばらの箇所に関する。（構造的結合部３９と不織ウェブ結合パターン要素４４との間の幾つかの交差点に、第５図、第６図、及び第７図において、参照番号１が附してある。）
第５図、第６図、及び第７図に示すように、任意の構造的結合パターン要素４５の二つの箇所の間の機械方向に対して横方向での最も大きな距離には参照番号「Ｃ」が附してあり、任意の構造的結合パターン要素４５の二つの箇所の間の機械方向での最も大きな距離には参照番号「Ｍ」が附してある。（第５図に示すような、互いに平行な構造的結合部３９の場合には、「Ｍ」は無限大に等しい。）更に、任意の不織ウェブ結合パターン要素４４の二つの箇所の間の機械方向に対して横方向での最も大きな距離には、参照符号「ｃ」が附してあり、任意の不織ウェブ結合パターン要素４４の二つの箇所の間の機械方向での最も大きな距離には、参照符号「ｍ」が附してある。かくして、機械方向に対して横方向での結合比、下文において「ＣＤ結合比」と呼ぶ、は、等式ｃ／Ｃによって表すことができ、機械方向での結合比、下文において「ＭＤ結合比」と呼ぶ、は、等式ｍ／Ｍによって表すことができる。
【００４５】
ＣＤ結合比及びＭＤ結合比は、雌ファスニング構成要素２２が相補的雄ファスニング構成要素２４のフック２８と係合する性能に影響を及ぼすということがわかっている。好ましい実施形態では、ＣＤ結合比は、相補的雄ファスニング構成要素２４の係合要素が雌ファスニング構成要素２２の捕捉領域３７に適切に進入することを妨げる程の数の構造的結合部３９が存在する程大きい。ＣＤ結合比は、１以上３未満であるのが好ましい。更に好ましくは、ＣＤ結合比は、１から２であるのが好ましく、特に好ましくは、ＣＤ結合比は１．６７である。（勿論、好ましいＣＤ結合比は、使用した正確な不織ウェブ結合パターン４１に従って変化する。）好ましくは、ＭＤ結合比は１以下であり、ＭＤ結合比をゼロに近付ける（即ち、構造的結合部３９が互いに平行である）のが好ましい。上文中に論じたように、低いＭＤ結合比を好ましいＣＤ結合比と組み合わせることによって、支持体３４の収縮時にシャーリングを形成する適当な数の非固定領域３５を利用でき、相補的雄構成要素２４と係合するのに十分な数の捕捉領域を形成できる。
【００４６】
本発明の一つの好ましい実施形態では、不織ウェブ結合パターン４１は、不織ウェブに関して上文中に説明し且つ第５図に示すように、等間隔に間隔が隔てられた多数の菱形不織ウェブ結合パターン要素４４からなる。このような不織ウェブ結合パターン４１を備えた適当な不織ウェブ３０は、マサチューセッツ州ウォルポールのインターナショナル・ペーパー社のヴェラテック不織ウェブグループからＰ−１１の商標で入手できる。）更に、構造的結合パターン４０は、好ましくは、実質的に平行な多数の構造的結合部３９からなる。（「実質的に平行」という用語は、本明細書中で使用されているように、構造的結合部３９が、互いに平行な状態から僅かしかずれていない限り、必ずしも、互いに完全に平行でなくてもよいということを示すのに使用される。）好ましくは、構造的結合部３９は、支持体３４の応答路と実質的に平行に並んでいる。
【００４７】
本発明の別の好ましい実施形態では、第６図に示すように、不織ウェブ結合パターン４１は、この場合も、「菱形」形状の不織ウェブ結合パターン要素４４からなるが、構造的結合パターン４０は、本質的に円形の一連の構造的結合部３９からなる。（本明細書中で使用されているように、「本質的に円形」という用語は、円形、長円形、楕円形、螺旋、等を含むが、これらの閉鎖曲線に限定されない。）この場合も、第６図に示すように、構造的結合パターン４０は、不織ウェブ結合パターン要素４４の各々と少なくとも二箇所で交差する。
【００４８】
本発明の更に別の好ましい実施形態では、第７図に示すように、不織ウェブ結合パターン４１は、「菱形」形状の不織ウェブ結合パターン要素４４からなるが、構造的結合パターン４０は、平行な線及び平行でない線の形体の多数の構造的結合部３９からなる。構造的結合部３９は、不織ウェブ結合パターン４１と同様の「菱形」形状の構造的結合パターン４０を形成する。他の例示の好ましい実施形態と同様に、構造的結合パターン４０は不織ウェブ結合パターン要素４４の各々と少なくとも二箇所で交差する。
【００４９】
不織ウェブ製雌構成要素の製造方法
本発明の雌ファスニング構成要素２２は、当該技術分野で周知の任意の手段で製造できる。（第１図、第２図、及び第３図は、雌ファスニング構成要素２２の製造プロセスに含まれる好ましい工程を例示するものである。）第１図に示すように、不織ウェブ３０には、好ましくは、不織ウェブ結合パターン要素４４からなる不織ウェブ結合パターン４１を形成する繊維間結合部３２が設けられている。エラストマー支持体３４は、伸長させた状態で提供される（好ましくは、伸長は、第１図及び第２図に示すように、機械方向で行われる。）構造的結合パターン４０を形成する構造的結合部３９は、支持体３４の伸長の前又は後に形成される。更に、構造的結合部３９は、接着剤結合の場合に好ましいように、不織ウェブ３０を支持体３４に置いてこれと接触させる前に支持体３４の第１面３１上に設けられているのがよく、不織ウェブ３０を支持体３４に置いてこれと接触させた後に導入されてもよく、又は支持体３４と接触するようになった不織ウェブ３０の面上に設けられてもよい。好ましい実施形態では、不織ウェブ３０は、支持体３４がその伸長された状態にあるとき、支持体３４の第１面３１に接合される。次いで、支持体３４をその弛緩状態まで収縮させる。これにより、支持体３４又は他のフィラメント３６に固定されていない不織ウェブ３０のフィラメント３６を外方に支持体３４の第１面３１から遠ざかるように曲げる。シャーリングを形成する非固定領域３５は、相補的雄ファスニング構成要素の係合要素と絡み合うことができる捕捉領域３７を形成する。
【００５０】
本発明の特に好ましい実施形態では、不織ウェブ３０のフィラメント３６は、互いに本質的に平行に及び支持体３４の応答路と本質的に平行に整合している。更に、不織ウェブ３０は、好ましくは、不織ウェブ３０が張力が加えられていない状態にあるとき、支持体と接触した状態に置かれる。これらの方法により、捕捉領域３７を形成するフィラメント３６の非固定領域３５が支持体３４の収縮時にシャーリングを形成し、形成された捕捉領域は、所望の相補的雄ファスニング構成要素と係合する上で有効である。
【００５１】
相補的雄構成要素
「雄構成要素」という用語は、本明細書中で使用されているように、フック２８のような係合要素を持つファスニング装置２０の部分を示すのに使用される。本発明の不織ウェブ製雌構成要素２２について使用される雄構成要素２４は、商業的に入手可能な従来のフック材料であるのがよい。しかしながら、雄構成要素２４は、可撓性で弾性の従来の材料のフック２８に限定されない。適当な雄構成要素は、安価で、可撓性が比較的小さく、脆性のフックを有する。更に、係合要素は、フック状、「Ｔ」字形状、マッシュルーム形状、又は任意の他の形状といった、当該技術分野で周知の任意の形状を持つことができる。一つの適当な雄構成要素２４は、ミネソタ州セントポールの３Ｍ社から入手できる「スコッチメイト（ＳＣＯＴＣＨＭＡＴＥ）商標の第ＦＪ３４０２号と表示された商業的に入手可能な材料のように、織布製支持体から突出した多数の付形係合要素を有する。他の好ましい雄構成要素２４は、ノースカロライナ州シャルロッテのアプリクス社から９５７ｃ又は９５７ｄの商標で入手できる。１９８９年７月１１日にＣ．Ｌ．スクリップスに付与された「改良ファスニング装置を有する使い捨ておむつ」という標題の米国特許第４，８４６，８１５号には、本発明で使用するのに適した別の好ましい雄構成要素が記載されている。他の特に好ましい雄構成要素及びその製造方法は、１９９１年１０月２２日にトーマス等に付与された「機械式ファスニングプロング」という標題の米国特許第５，０５８，２４７号、１９９２年５月２６日にトーマス等に付与された「機械式ファスナの製造方法」という標題の米国特許第５，１１６，５６３号、１９９３年１月１９日にトーマス等に付与された「再取付け可能な機械式ファスニングシステム」という標題の米国特許第５，１８０，５３４号、及び１９９３年７月２７日にトーマスに付与された「再取付け可能なファスニングシステムの製造方法」という標題の米国特許第５，２３０，８５１号に記載されている。これらの特許について触れたことにより、これらの特許の各々に開示されている内容は本明細書中に組み入れたものとする。雄構成要素２４は、種々の材料から製造できる。このような適当な材料には、ナイロン、ポリエステル、ポリプロピレン、又はこれらの材料又は他の材料の任意の組み合わせが含まれるが、これらに限定されない。
【００５２】
再取付け可能なファスニング装置の使用例
本発明の再取付け可能なファスニング装置は、使い捨て吸収物品用のファスニング装置として特に有用である。「使い捨て吸収物品」という用語は、本明細書中で使用されているように、身体の滲出物を吸収してこれを包含する物品に関する。更に特定的には、この用語は、身体から排出される種々の滲出物を吸収して包含するため、着用者の身体に当てて、又は着用者の身体の近くに置かれる物品に関する。「使い捨て」という用語は、この物品が、一回使用した後に廃棄されるようになっている（即ち、洗濯又は他の方法で再生されるようになっていない）ということを意味する。使い捨て吸収物品の例には、おむつ、失禁者用衣料、衛生ナプキン、包帯等が含まれる。
【００５３】
第８図及び第９図は、本発明の不織ウェブ製雌ファスニング構成要素２２を含むファスニングシステム７２を有する例示の使い捨ておむつ５０を示す。おむつ５０は、好ましくは、身体部分５１、及び第１胴部領域５６及び第２胴部領域５８の二つの胴部領域を有する。身体部分５１は、好ましくは、液体透過性のトップシート６４、液体不透過性のバックシート６８、及び吸収コア６６を有する。第８図に示すように、おむつ５０のファスニングシステム７２は、とりわけ、本発明の雌ファスニング構成要素２２を有する。ファスニングシステム７２は、多くの形体及び構造を持つことができる。一つの好ましい実施形態では、第１ファスニング要素７２ａは、雄構成要素２４を形成する。雄構成要素２４は、第２胴部領域５８に配置されたタブ７４から延びるフック２８を提供する。本発明の不織ウェブ製雌構成要素２２は、第１胴部領域５６に配置された第２ファスニング要素７２ｂを形成する。しかしながら、第１ファスニング要素７２ａが不織ウェブ製雌構成要素２２を形成し、第２ファスニング要素７２ｂが雄構成要素２４を形成するように、本発明のファスニング装置２０の構成要素の位置を逆にしてもよい。
【００５４】
使い捨ておむつ５０の特に好ましい実施形態では、雌構成要素２２の不織ウェブ３０のフィラメント３６は、単一の方向で整合している。雌構成要素２２は、不織ウェブ３０のフィラメント３６がおむつ５０の長手方向縁部６０と本質的に平行に延びるように配向されている。この配向により、フィラメント３６を、使用中にファスニング装置２０に加えられる剪断力の方向に対してほぼ垂直に整合させる。この形体では、フィラメント３６は、最大引き剥がし−剪断力抵抗を提供する。
【００５５】
本発明を容易に適用できる周知のおむつ形体の幾つかの例が、１９９２年９月２９日にケネスＢ．ブエル等に付与された「撓みヒンジを予め配置した動的弾性胴部装置を持つ吸収物品」という標題の米国特許第５，１５１，０９２号、及び１９９３年６月２２日にケネスＢ．ブエル等に付与された「撓みヒンジを予め配置した動的弾性胴部装置を持つ吸収物品」という標題の米国特許第５，２２１，２７４号、１９９３年１１月１９日に出願された「多方向に伸長可能な側パネルを持つ吸収物品」という標題の現在継続中の米国特許出願第０８／１５５，０４８号、及び１９９４年２月２８日に出願された「多数のゾーンからなる構造的弾性体様フィルムウェブでできた伸長性の胴部装置を持つ吸収物品」という標題の現在継続中の米国特許出願第０８／２０３，４５６号に記載されている。上掲の特許及び現在継続中の特許出願について触れたことにより、これらの特許及び特許出願に開示されている内容は本明細書中に組み入れたものとする。しかしながら、本発明のファスニング装置は、任意の特定のおむつ構造又は形体での使用に限定されるものではないということは理解されるべきである。
【００５６】
更に、本発明の雌構成要素２２は、安価な胴バンド又は吸収物品の任意の他のエラストマー要素（又はその一部）を提供するのに使用でき、相補的雄ファスニング構成要素２４のフック２８と係合できる。（本明細書中で使用されているように、「胴バンド」という用語は、着用者の胴部を部分的に又は完全に包囲する吸収物品の部分に関する。）第９図は、本発明の雌ファスニング構成要素２２を持つ胴バンド６２を備えたおむつ５０を示す。本発明で使用するのに適したおむつの別の例が、１９８７年１０月１３日にＪ．Ｗ．チューザン等に付与された「改良側閉鎖体を持つ使い捨ておむつ」という標題の米国特許第４，６９９，６２２号、１９９１年５月２８日にスクリップスに付与された「機械式ファスニングシステム及び接着剤テープファスニングシステムの組み合わせを持つ使い捨て吸収物品」という標題の米国特許第５，０１９，０６５号、及び１９９３年９月７日にヴェイル等に付与された「動的弾性胴部装着体を提供するファスニングシステムを持つ吸収物品」という標題の米国特許第５，２４２，２３６号に記載されている。これらの特許について触れたことにより、これらの特許に開示されている内容は本明細書中に組み入れたものとする。
【００５７】
本発明の特定の実施形態を図示し且つ説明したが、本発明の精神及び範囲から逸脱することなく、種々の他の変更及び変形を行うことができるということは当業者に明らかである。従って、添付の請求の範囲は、本発明の範囲内の全てのこのような変更及び変形を含もうとするものである。
【図面の簡単な説明】
【図１】第１図は、本発明を形成するのに使用されるフィラメント及び支持体の、フィラメントを支持体上に位置決めしてこれに取り付ける前の斜視図である。
【図２】第２図は、支持体がその伸長させた状態にある場合の本発明の雌構成要素の斜視図である。
【図３】第３図は、支持体がその弛緩した状態にある場合の本発明の雌構成要素の斜視図である。
【図４】第４図は、本発明によるファスニング装置の斜視図である。
【図５】第５図は、本発明の好ましい実施形態の不織ウェブ結合パターン及び構造的結合パターンの斜視図であり、この図では、結合パターンに関して更に詳細に示すため、不織ウェブのフィラメントが省略してある。
【図６】第６図は、本発明の別の好ましい実施形態の不織ウェブ結合パターン及び構造的結合パターンの斜視図であり、この図では、結合パターンに関して更に詳細に示すため、不織ウェブのフィラメントが省略してある。
【図７】第７図は、本発明の更に別の好ましい実施形態の不織ウェブ結合パターン及び構造的結合パターンの斜視図であり、この図では、結合パターンに関して更に詳細に示すため、不織ウェブのフィラメントが省略してある。
【図８】第８図は、本発明の雌ファスニング構成要素を含む使い捨ておむつの斜視図である。
【図９】第９図は、本発明の雌ファスニング構成要素を含む使い捨ておむつの斜視図である。
【図１０】第１０図は、本発明の雌ファスニング構成要素を大きく拡大した拡大側面図である。
【図１】
0004156026.tif 000002
【図２】
0004156026.tif 000003
【図３】
0004156026.tif 000004
【図４】
0004156026.tif 000005
【図５】
0004156026.tif 000006
【図６】
0004156026.tif 000007
【図７】
0004156026.tif 000008
【図８】
0004156026.tif 000009
【図９】
0004156026.tif 000010
【図１０】
0004156026.tif 000011